(57)【要約】【課題】車載機及び車両用通信システムを提供する。【解決手段】車両に離隔配置された３つ以上の送信アンテナから信号を送信させる車載機であって、３つ以上の送信アンテナのうち、２つ以上の送信アンテナから信号を同時的に送信させる送信制御部と、送信制御部により同時的に信号を送信させる２つ以上の送信アンテナのうち少なくとも１つが異なる送信アンテナを含むように、送信アンテナの組み合わせを順次変更する変更部とを備える。【選択図】図５
2018196009.tif 000002
【特許請求の範囲】
【請求項１】
車両に離隔配置された３つ以上の送信アンテナから信号を送信させる車載機であって、
前記３つ以上の送信アンテナのうち、２つ以上の送信アンテナから信号を同時的に送信させる送信制御部と、
該送信制御部により同時的に信号を送信させる２つ以上の送信アンテナのうち少なくとも１つが異なる送信アンテナを含むように、送信アンテナの組み合わせを順次変更する変更部と
を備える車載機。
【請求項２】
前記複数の送信アンテナからＬＦ（Low Frequency）帯の前記信号を送信させる
請求項１に記載の車載機。
【請求項３】
少なくとも２つの前記送信アンテナは前記車両の走行方向における前後又は左右に離隔配置されており、
前記送信制御部は、
前後又は左右に離隔配置された前記２つの送信アンテナから前記信号を同時的に送信させる
請求項１又は請求項２に記載の車載機。
【請求項４】
前記２つの送信アンテナから同時的に送信させる信号の位相を制御する位相制御部
を備える請求項３に記載の車載機。
【請求項５】
前記位相制御部は、前記信号の位相を同相又は逆相に交互に切り替え、
前記２つの送信アンテナから、同相の信号と、逆相の信号とを交互に送信させる
請求項４に記載の車載機。
【請求項６】
前記送信制御部は、
前記２つ以上の送信アンテナから、携帯機を起動させるための前記信号を同時的に送信させる
請求項１から請求項５のいずれか１つに記載の車載機。
【請求項７】
前記２つ以上の送信アンテナから送信した信号に対して前記携帯機から返信される応答信号を受信する受信部と、
前記携帯機からの応答信号が得られた送信アンテナの組み合わせを特定することにより、前記携帯機の位置を特定する位置特定部と
を備える請求項６に記載の車載機。
【請求項８】
前記複数の送信アンテナは、
前記車両の複数のタイヤが設けられるタイヤ位置にそれぞれ配されており、
前記送信部は、
前記複数のタイヤにそれぞれ設けられ、該タイヤの空気圧を検出して得られる空気圧信号を無線送信する複数の検出装置へ、各タイヤ位置に配された前記送信アンテナから前記信号を送信させる
請求項１〜請求項７のいずれか一つに記載の車載機。
【請求項９】
請求項１〜請求項８のいずれか一つに記載の車載機と、
車両に離隔配置された３つ以上の送信アンテナと、
前記車載機から送信された前記信号を受信し、受信した前記信号に応じて応答信号を送信する携帯機と
を備え、
前記車載機は、
前記携帯機から送信された前記応答信号を受信する受信部を備え、受信した前記応答信号に応じた処理を実行する車両用通信システム。
【発明の詳細な説明】
【技術分野】
【０００１】
本発明は、車載機及び車両用通信システムに関する。
【背景技術】
【０００２】
メカニカルキーを用いずに車両ドアの施錠及び解錠を行う車両用通信システムが実用化されている。具体的には、使用者が所持する携帯機を用いた無線遠隔操作により車両ドアの施錠又は解錠を行うキーレスエントリシステム、携帯機を所持した使用者が車両に近づき、又はドアハンドルを握るだけで車両ドアの解錠を行うスマートエントリー（登録商標）システム等が実用化されている。
【０００３】
また、メカニカルキーを用いずに車両のエンジン始動を行う車両用通信システムも実用化されている。具体的には、携帯機を所持した使用者がエンジンスタートボタンを押すだけでエンジンの始動を行うプッシュスタートシステムが実用化されている。
更に、携帯機を所持した使用者が車両に近づいた際、車内灯又は車外灯を点灯させるウェルカムライトシステムが実用化されている。
【０００４】
かかる車両用通信システムにおいて車載機は、携帯機と無線通信を行う。当該無線通信は、車載機の送信アンテナからＬＦ（Low Frequency）帯の電波を用いて各種信号を携帯機へ送信し、当該信号を受信した携帯機がＵＨＦ（Ultra High Frequency）帯の電波を用いて応答信号を送信することによって行われる。車載機は、認証及び携帯機の位置確認を行った後に解錠、施錠、エンジン始動、ウェルカムライト点灯等の制御を行う。
【０００５】
ところで、車載機から送信される信号はＬＦ帯であり、当該信号の送信範囲は車両周辺の所定範囲内に限定されている。携帯機の位置を高精度で検出し、あるいは車両に近づく携帯機を早期に検出するためには、携帯機による信号の受信感度を高感度に設定すれば良いが、携帯機を駆動する電池の寿命が短くなる。
【０００６】
特許文献１には、携帯機が車室内又は車両から所定距離以内に存在すると判断された時、携帯機の受信感度を高感度に設定し、携帯機が車室内及び車両から所定距離以内に存在しないと判断された時、携帯機の受信感度を低感度に設定する技術が開示されている。
【先行技術文献】
【特許文献】
【０００７】
【特許文献１】特開２０１５−１１３６４４号公報
【発明の概要】
【発明が解決しようとする課題】
【０００８】
しかしながら、特許文献１においては、携帯機が車両に接近するまで、携帯機の受信感度は低感度のままであるため、車両に近づく携帯機を早期に検出することはできない。また、携帯機が車両から所定距離以内に無いと誤判断された場合、携帯機の受信感度は低感度の状態にあるため、携帯機の位置検出が困難になるという問題点を有する。
【０００９】
本発明の目的は、車載機の送信アンテナから送信される信号の送信範囲を拡大すると共に、携帯機の位置を特定することができる車載機及び車両用通信システムを提供することにある。
【課題を解決するための手段】
【００１０】
本発明の一態様に係る車載機は、車両に離隔配置された３つ以上の送信アンテナから信号を送信させる車載機であって、前記３つ以上の送信アンテナのうち、２つ以上の送信アンテナから信号を同時的に送信させる送信制御部と、該送信制御部により同時的に信号を送信させる２つ以上の送信アンテナのうち少なくとも１つが異なる送信アンテナを含むように、送信アンテナの組み合わせを順次変更する変更部とを備える。
【００１１】
本発明の一態様に係る車両用通信システムは、前述の車載機と、車両に離隔配置された３つ以上の送信アンテナと、前記車載機から送信された前記信号を受信し、受信した前記信号に応じて応答信号を送信する携帯機とを備え、前記車載機は、前記携帯機から送信された前記応答信号を受信する受信部を備え、受信した前記応答信号に応じた処理を実行する。
【００１２】
なお、本願は、このような特徴的な処理部乃至送信部を備える車載機として実現することができるだけでなく、かかる特徴的な処理をステップとする信号送信方法として実現したり、かかるステップをコンピュータに実行させるためのプログラムとして実現したりすることができる。また、車載機の一部又は全部を実現する半導体集積回路として実現したり、車載機を含むその他のシステムとして実現したりすることができる。
【発明の効果】
【００１３】
上記によれば、車載機の送信アンテナから送信される信号の送信範囲を拡大すると共に、携帯機の位置を特定することができる。
【図面の簡単な説明】
【００１４】
【図１】実施の形態１に係る車両用通信システムの構成例を説明する模式図である。
【図２】車載機の構成例を示すブロック図である。
【図３】検出装置の構成例を示すブロック図である。
【図４】携帯機の構成例を示すブロック図である。
【図５】車載機及び携帯機の処理手順を示すフローチャートである。
【図６】本実施形態に係る車載機から送信される信号の送信範囲を説明する説明図である。
【図７】比較例に係る車載機から送信される信号の送信範囲を説明する説明図である。
【図８】ＬＦ送信アンテナの組み合わせを切り替えた場合の送信範囲を説明する説明図である。
【図９】実施形態２に係る車載送信部の構成例を説明するブロック図である。
【図１０】実施形態２に係る車載機から送信される信号の送信範囲を示す概念図である。
【図１１】実施形態３に係る車載機から送信される信号の送信範囲を示す概念図である。
【図１２】実施形態４に係る車載機が送信する信号の送信タイミングを説明するタイミングチャートである。
【発明を実施するための形態】
【００１５】
本発明の実施態様を列記して説明する。また、以下に記載する実施形態の少なくとも一部を任意に組み合わせても良い。
【００１６】
本発明の一態様に係る車載機は、車両に離隔配置された３つ以上の送信アンテナから信号を送信させる車載機であって、前記３つ以上の送信アンテナのうち、２つ以上の送信アンテナから信号を同時的に送信させる送信制御部と、該送信制御部により同時的に信号を送信させる２つ以上の送信アンテナのうち少なくとも１つが異なる送信アンテナを含むように、送信アンテナの組み合わせを順次変更する変更部とを備える。
【００１７】
本態様にあっては、一つの送信アンテナから送信される信号の送信範囲は車両周辺の範囲内であり、前記送信範囲の外にある携帯機は当該信号を受信することができない。そこで、送信部は、２つ以上の送信アンテナから信号を同時的に送信させる。２つ以上の送信アンテナから同時的に送信された信号は重畳され、振幅は大きくなる。よって、車載機の送信アンテナから送信される信号の送信範囲を拡大することができる。また、同時的に送信させる送信アンテナの組み合わせを順次変更するので、車載機からの応答信号が得られた送信アンテナの組み合わせを特定することにより、車載機の位置を特定することができる。
【００１８】
本発明の一態様に係る車載機は、前記複数の送信アンテナからＬＦ帯の前記信号を送信させる。
【００１９】
本態様にあっては、各送信アンテナから同時的に送信される信号はＬＦ帯の信号であるため、車両周辺では該信号の振幅は一様である。つまり、信号の波長は、携帯機の検出が行われるべき車両周辺の範囲の長さに比べて十分に長く、当該車両周辺領域における信号の位相ずれの影響は小さい。従って、複数の送信アンテナから送信された信号が干渉して弱め合うことは無く、各信号は単純に重ね合わされ、信号の振幅は一様に大きくなる。従って、車載機の送信アンテナから送信される信号の送信範囲を拡大することができる。
【００２０】
本発明の一態様に係る車載機は、少なくとも２つの前記送信アンテナは前記車両の走行方向における前後又は左右に離隔配置されており、前記送信制御部は、前後又は左右に離隔配置された前記２つの送信アンテナから前記信号を同時的に送信させる。
【００２１】
本態様にあっては、車両の走行方向における前後に離隔配置された２つの送信アンテナから信号が同時的に送信された場合、信号の送信範囲は、例えば車両の左右方向に拡大する。同様に車両の走行方向における左右に離隔配置された２つの送信アンテナから信号が同時的に送信された場合、信号の送信範囲は、例えば車両の前後方向に拡大する。なお、車両の走行方向における前後左右方向に配置された複数の送信アンテナから信号が同時的に送信された場合、信号の送信範囲は、車両の前後及び左右方向に拡大する。
【００２２】
本発明の一態様に係る車載機は、前記２つの送信アンテナから同時的に送信させる信号の位相を制御する位相制御部を備える。
【００２３】
本態様にあっては、同時的に送信させる信号の位相を制御することによって、信号の送信範囲を拡大させる方向を制御することが可能となる。
【００２４】
本発明の一態様に係る車載機は、前記位相制御部は、前記信号の位相を同相又は逆相に交互に切り替え、前記２つの送信アンテナから、同相の信号と、逆相の信号とを交互に送信させる。
【００２５】
本態様にあっては、同時的に送信させる信号の位相を同相又は逆相に交互に切り替えるので、信号の送信範囲が拡大する方向が時間的に切り替わり、携帯機との通信が可能となる領域を拡大することが可能となる。
【００２６】
本発明の一態様に係る車載機は、前記送信制御部は、前記２つ以上の送信アンテナから、携帯機を起動させるための前記信号を同時的に送信させる。
【００２７】
本態様にあっては、携帯機を起動させる信号の送信範囲を拡大することができる。従って、車両からより遠方の携帯機を起動させることが可能になる。
【００２８】
本発明の一態様に係る車載機は、前記２つ以上の送信アンテナから送信した信号に対して前記携帯機から返信される応答信号を受信する受信部と、前記携帯機からの応答信号が得られた送信アンテナの組み合わせを特定することにより、前記携帯機の位置を特定する位置特定部とを備える。
【００２９】
本態様にあっては、携帯機の位置検出に係る信号の送信範囲を拡大することができると共に、携帯機の位置を特定することができる。
【００３０】
本発明の一態様に係る車載機は、前記複数の送信アンテナは、前記車両の複数のタイヤが設けられるタイヤ位置にそれぞれ配されており、前記送信部は、前記複数のタイヤにそれぞれ設けられ、該タイヤの空気圧を検出して得られる空気圧信号を無線送信する複数の検出装置へ、各タイヤ位置に配された前記送信アンテナから前記信号を送信させる。
【００３１】
本態様にあっては、車載機は、複数の送信アンテナを用いて、タイヤの空気圧を検出する検出装置と通信することができ、当該送信アンテナを用いて携帯機と通信するともできる。
【００３２】
本発明の一態様に係る車両用通信システムは、前述の車載機と、車両に離隔配置された３つ以上の送信アンテナと、前記車載機から送信された前記信号を受信し、受信した前記信号に応じて応答信号を送信する携帯機とを備え、前記車載機は、前記携帯機から送信された前記応答信号を受信する受信部を備え、受信した前記応答信号に応じた処理を実行する。
【００３３】
本発明にあっては、車載機の送信アンテナから送信される信号の送信範囲を拡大することができる。従って、車載機は、より遠方の携帯機とも無線通信を行うことができ、無線通信の結果に応じた処理を実行することができる。
【００３４】
以下、本発明をその実施の形態を示す図面に基づいて具体的に説明する。
（実施の形態１）
図１は実施の形態１に係る車両用通信システムの構成例を説明する模式図である。本実施形態に係る車両用通信システムは、車体の適宜箇所に設けられた車載機１と、車両Ｃに設けられた複数のタイヤ３のホイールそれぞれに設けられた複数の検出装置２と、報知装置４と、携帯機５と、車外照明部６とを備え、タイヤ空気圧監視システム及びウェルカムライトシステムを構成している。
【００３５】
車載機１には、第１ＬＦ送信アンテナ１４ａ、第２ＬＦ送信アンテナ１４ｂ、第３ＬＦ送信アンテナ１４ｃ及び第４ＬＦ送信アンテナ１４ｄが接続されている。第１乃至第４ＬＦ送信アンテナ１４ａ、１４ｂ、１４ｃ、１４ｄは、例えば、４つのタイヤ３が取り付けられる車両Ｃの右前、右後、左前及び左後のタイヤ位置にそれぞれ離隔配置されている。タイヤ位置は、タイヤハウス及びその周辺の位置であり、第１乃至第４ＬＦ送信アンテナ１４ａ、１４ｂ、１４ｃ、１４ｄからそれぞれ送信される信号を、各タイヤ３に設けられた検出装置２が各別に受信できる位置である。
【００３６】
なお、以下の説明において、第１乃至第４ＬＦ送信アンテナ１４ａ、１４ｂ、１４ｃ、１４ｄを区別して説明する必要がない場合、第１乃至第４ＬＦ送信アンテナ１４ａ、１４ｂ、１４ｃ、１４ｄを単にＬＦ送信アンテナとも記載する。
【００３７】
タイヤ空気圧監視システムとして機能する車両用通信システムにおいて、車載機１は、タイヤ３の空気圧情報を要求する空気圧情報要求信号を、第１乃至第４ＬＦ送信アンテナ１４ａ、１４ｂ、１４ｃ、１４ｄからＬＦ帯の電波により各検出装置２それぞれへ各別に送信させる。検出装置２は、空気圧情報要求信号に応じて、タイヤ３の空気圧を検出し、検出して得られた空気圧情報及び自身のセンサ識別子を含む空気圧信号をＵＨＦ帯の電波により車載機１へ無線送信する。車載機１は、ＲＦ受信アンテナ１３ａを備え、各検出装置２から送信された空気圧信号をＲＦ受信アンテナ１３ａにて受信し、該空気圧信号から各タイヤ３の空気圧情報を取得する。車載機１には通信線を介して報知装置４が接続されており、車載機１は取得した空気圧情報を報知装置４へ送信する。報知装置４は車載機１から送信された空気圧情報を受信し、各タイヤ３の空気圧情報を報知する。また、報知装置４はタイヤ３の空気圧が所定の閾値未満である場合、警告を発する。
【００３８】
一方、ウェルカムライトシステムとして機能する車両用通信システムにおいて、車載機１は、車両Ｃの周囲にある携帯機５を検出するための信号を、第１乃至第４ＬＦ送信アンテナ１４ａ、１４ｂ、１４ｃ、１４ｄからＬＦ帯の電波により携帯機５へ送信させる。携帯機５は、第１乃至第４ＬＦ送信アンテナ１４ａ、１４ｂ、１４ｃ、１４ｄから送信された信号を受信し、受信した信号に応じた応答信号をＵＨＦ帯の電波により車載機１へ送信する。車載機１は、携帯機５から送信された応答信号をＲＦ受信アンテナ１３ａにて受信する。車載機１は、携帯機５との無線通信により、携帯機５の認証に成功すると、車外照明部６を点灯させる。車外照明部６の点灯によって、使用者を出迎えるように車両Ｃの周囲が明るく照らされる。
【００３９】
なお、本実施形態に係る車両用通信システムにおいて使用するＬＦ帯及びＵＨＦ帯は、無線通信を行う際に用いる電波帯域の一例であり、必ずしもこれに限定されない。
【００４０】
図２は車載機１の構成例を示すブロック図である。車載機１は、該車載機１の各構成部の動作を制御する制御部１１を備える。制御部１１には、記憶部１２、車載受信部１３、車載送信部１４、車内通信部１５が接続されている。
【００４１】
制御部１１は、例えばＣＰＵ（Central Processing Unit）、ＲＯＭ（Read Only Memory）、ＲＡＭ（Random Access Memory）、入出力インタフェースなどを備える。制御部１１のＣＰＵは入出力インタフェースを介して記憶部１２、車載受信部１３、車載送信部１４、及び車内通信部１５に接続している。制御部１１は記憶部１２に記憶されている制御プログラムを実行することにより、各構成部の動作を制御し、ウェルカムライト機能及びタイヤ空気圧監視機能に係る処理を実行する。
【００４２】
なお、制御部１１は、上記の構成に限定されるものではなく、シングルコアＣＰＵ、マルチコアＣＰＵ、マイコン、揮発性又は不揮発性のメモリ等を含む１又は複数の処理回路であればよい。また、制御部１１は、時刻を計時するクロック、計測開始指示を与えてから計測終了指示を与えるまでの経過時間を計測するタイマ、数をカウントするカウンタ等の機能を備えていてもよい。
【００４３】
記憶部１２は、ＥＥＰＲＯＭ（Electrically Erasable Programmable ROM）、フラッシュメモリ等の不揮発性メモリである。記憶部１２は、制御部１１が車載機１の各構成部の動作を制御することにより、ウェルカムライト機能及びタイヤ空気圧監視機能を実現するための制御プログラムを記憶している。
【００４４】
車載受信部１３には、ＲＦ受信アンテナ１３ａが接続されている。車載受信部１３は、携帯機５又は検出装置２からＲＦ帯の電波を用いて送信された信号を、ＲＦ受信アンテナ１３ａにて受信する。車載受信部１３は、受信した信号を復調し、復調された信号を制御部１１へ出力する回路である。搬送波としては３００ＭＨｚ〜３ＧＨｚのＵＨＦ帯を使用するが、この周波数帯に限定するものでは無い。
【００４５】
車載送信部１４には、第１乃至第４ＬＦ送信アンテナ１４ａ、１４ｂ、１４ｃ、１４ｄが接続されている。第１乃至第４ＬＦ送信アンテナ１４ａ、１４ｂ、１４ｃ、１４ｄは、フェライトからなる棒状の磁性体コアと、該磁性体コアの外周に巻かれたコイルとを備える。コイルには、コンデンサが接続されており、共振回路を構成している。共振回路は車載送信部１４に接続されている。車載送信部１４は、制御部１１から出力された信号をＬＦ帯の信号に変調し、変調された信号を第１乃至第４ＬＦ送信アンテナ１４ａ、１４ｂ、１４ｃ、１４ｄから同時的に又は各別に、携帯機５又は検出装置２へ送信させる回路である。車載送信部１４は、第１乃至第４ＬＦ送信アンテナ１４ａ、１４ｂ、１４ｃ、１４ｄから送信される信号の送信範囲が、車両周辺の一定範囲内になるように、前記コイルに電流を流し、信号を送信させる。送信範囲は、携帯機５による前記信号の受信が可能となる範囲である。なお、搬送波としては３０ｋＨｚ〜３００ｋＨｚのＬＦ帯を使用するが、この周波数帯に限定するものでは無い。
【００４６】
本実施の形態では、制御部１１からの制御により、携帯機５を起動させるためのウェイクアップ信号を車載送信部１４に送信させる場合、第１乃至第４ＬＦ送信アンテナ１４ａ、１４ｂ、１４ｃ、１４ｄから選択した２つのＬＦ送信アンテナから同時的にウェイクアップ信号を送信させると共に、同時的にウェイクアップ信号を送信させるＬＦ送信アンテナの組み合わせを時系列的に変更する構成としている。例えば、第１及び第２ＬＦ送信アンテナ１４ａ、１４ｂを第１の組み合わせ、第３及び第４ＬＦ送信アンテナ１４ｃ、１４ｄを第２の組み合わせ、第２及び第４ＬＦ送信アンテナ１４ｂ、１４ｄを第３の組み合わせ、第１及び第３ＬＦ送信アンテナ１４ａ、１４ｃを第４の組み合わせとしたとき、制御部１１は、第１乃至第４の組み合わせを順に選択して、それぞれの組み合わせを構成する各ＬＦ送信アンテナからウェイクアップ信号を同時的に送信させる。なお、同時的に送信させるＬＦ送信アンテナの組み合わせ及び順序は、例えば記憶部１２に記憶されていればよい。制御部１１は、記憶部１２に記憶された情報を参照することにより、ＬＦ送信アンテナの組み合わせを順に切り替えることが可能である。第１乃至第４ＬＦ送信アンテナ１４ａ、１４ｂ、１４ｃ、１４ｄからリクエスト信号又は検出用信号を送信させる場合についても同様である。
【００４７】
なお、車載送信部１４は、各タイヤ３の検出装置２を起動させるためのウェイクアップ信号を送信させる場合、又は各検出装置２に空気圧情報要求信号を送信させる場合、第１乃至第４ＬＦ送信アンテナ１４ａ、１４ｂ、１４ｃ、１４ｄから、各別にウェイクアップ信号又は空気圧情報要求信号を各別に送信させる。
【００４８】
本実施の形態では、２つ以上の第１乃至第４ＬＦ送信アンテナ１４ａ、１４ｂ、１４ｃ、１４ｄから同時的に送信される信号が同一である場合を主に説明するが、一例であり、完全に同一の信号である必要は無い。また、２つ以上の第１乃至第４ＬＦ送信アンテナ１４ａ、１４ｂ、１４ｃ、１４ｄから同時的に送信される信号が重畳して振幅が大きくなる限り、各信号の位相がずれていても良い。更に、２つ以上の第１乃至第４ＬＦ送信アンテナ１４ａ、１４ｂ、１４ｃ、１４ｄから送信される信号は、完全に同一タイミングで送信される必要は無く、信号が重畳して振幅が大きくなる限り、各信号の送信タイミングがずれていても良い。
【００４９】
車内通信部１５は、ＣＡＮ（Controller Area Network）又はＬＩＮ（Local Interconnect Network）等の通信プロトコルに従って通信を行う通信回路であり、報知装置４及び車外照明部６に接続されている。車内通信部１５は、制御部１１の制御に従って、タイヤ３の空気圧情報を報知装置４へ送信する。また、車両Ｃの周囲にある携帯機５が検出された場合、車内通信部１５は、制御部１１の制御に従って、点灯制御信号を車外照明部６へ送信する。
【００５０】
報知装置４は、例えば、車内通信部１５から送信されたタイヤ３の空気圧情報を画像又は音声によって報知する表示部又はスピーカを備えたオーディオ機器、インスツルメントパネルの計器に設けられた表示部等である。表示部は液晶ディスプレイ、有機ＥＬディスプレイ、ヘッドアップディスプレイ等である。例えば、報知装置４は、車両Ｃに設けられた各タイヤ３の空気圧情報を表示する。
【００５１】
車外照明部６は、例えばドアミラー又は車両Ｃのドアに設けられた光源、光源に電力を供給して光源を点灯させる駆動回路、車内通信部１５から送信された点灯制御信号を受信する受信回路等を備える。車外照明部６は、車内通信部１５から送信された点灯制御信号を受信した場合、光源を点灯させる。車外照明部６が点灯すると、車両Ｃの周囲が照明される。
なお、本実施形態では、ウェルカムライト機能を実現する照明として、車外を照明する車外照明部６を例示するが、車内を照明するものであっても良い。
【００５２】
図３は検出装置２の構成例を示すブロック図である。検出装置２は、該検出装置２の各構成部の動作を制御するセンサ制御部２１を備える。センサ制御部２１には、センサ用記憶部２２、センサ送信部２３、センサ受信部２４、及び空気圧検出部２５が接続されている。
【００５３】
センサ制御部２１は、例えばＣＰＵ、ＲＯＭ、ＲＡＭ、入出力インタフェースなどを備える。センサ制御部２１のＣＰＵは入出力インタフェースを介してセンサ用記憶部２２、センサ送信部２３、センサ受信部２４、及び空気圧検出部２５に接続している。センサ制御部２１はセンサ用記憶部２２に記憶されている制御プログラムを読み出し、各部を制御する。検出装置２は、図示しない電池を備え、当該電池からの電力により動作する。
【００５４】
なお、センサ制御部２１は、上記の構成に限定されるものではなく、シングルコアＣＰＵ、マルチコアＣＰＵ、マイコン、揮発性又は不揮発性のメモリ等を含む１又は複数の処理回路であればよい。また、センサ制御部２１は、時刻を計時するクロック、計測開始指示を与えてから計測終了指示を与えるまでの経過時間を計測するタイマ、数をカウントするカウンタ等の機能を備えていてもよい。
【００５５】
センサ用記憶部２２は不揮発性メモリである。センサ用記憶部２２には、センサ制御部２１がタイヤ３の空気圧検出及び空気圧信号の送信に係る処理を行うための制御プログラムが記憶されている。また、自身と、他の検出装置２とを識別するための固有のセンサ識別子を記憶している。
【００５６】
空気圧検出部２５は、例えばダイヤフラムを備え、圧力の大きさによって変化するダイヤフラムの変形量に基づき、タイヤ３の空気圧を検出する。空気圧検出部２５は検出したタイヤ３の空気圧を示す信号をセンサ制御部２１へ出力する。センサ制御部２１は、制御プログラムを実行することにより、空気圧検出部２５からタイヤ３の空気圧を取得し、空気圧情報及び検出装置２に固有のセンサ識別子等を含む空気圧信号を生成し、センサ送信部２３へ出力する。
なお、タイヤ３の温度を検出し、検出した温度を示す信号をセンサ制御部２１へ出力する温度検出部（不図示）を備えても良い。この場合、センサ制御部２１は、空気圧情報、温度情報、センサ識別子等を含む空気圧信号を生成し、センサ送信部２３へ出力する。
【００５７】
センサ送信部２３には、ＲＦ送信アンテナ２３ａが接続されている。センサ送信部２３は、センサ制御部２１が生成した空気圧信号をＵＨＦ帯の信号に変調し、変調した空気圧信号を、ＲＦ送信アンテナ２３ａを用いて送信する。
【００５８】
センサ受信部２４には、ＬＦ受信アンテナ２４ａが接続されている。センサ受信部２４は、車載機１からＬＦ帯の電波を用いて送信された空気圧情報要求信号を、ＬＦ受信アンテナ２４ａにて受信し、受信した空気圧情報要求信号をセンサ制御部２１へ出力する。
【００５９】
図４は携帯機５の構成例を示すブロック図である。携帯機５は、該携帯機５の各構成部の動作を制御する携帯制御部５１を備える。携帯制御部５１は、例えば一又は複数のＣＰＵ、マルチコアＣＰＵ等を有するマイコンである。携帯制御部５１には、携帯機用記憶部５２、携帯送信部５３、及び携帯受信部５４が設けられている。携帯機５は、図示しない電池を備え、当該電池からの電力により動作する。
【００６０】
携帯制御部５１は、携帯機用記憶部５２に記憶されている後述の制御プログラムを読み出し、各構成部の動作を制御することにより、正規の携帯機５が車両Ｃの周囲に存在することを確認する処理を実行する。
携帯制御部５１は、消費電力が小さい休止状態と、消費電力が大きい起動状態とを有している。休止状態において、携帯機５が、車載機１から送信されたウェイクアップ信号を受信した場合、携帯制御部５１は休止状態から起動状態へ移行し、動作を開始する。起動状態において、所要の処理を終えた後、携帯機５が車載機１からの信号を受信すること無く所定時間が経過した場合、再び、休止状態へ移行する。
【００６１】
携帯機用記憶部５２は、記憶部１２と同様の不揮発性メモリである。携帯機用記憶部５２は、携帯制御部５１が携帯機５の各構成部の動作を制御することにより、正規の携帯機５が車両Ｃの周囲に存在することを確認するための処理を実行するための制御プログラムを記憶している。
【００６２】
携帯送信部５３はＲＦ送信アンテナ５３ａに接続されており、携帯制御部５１の制御に従って、車載機１から送信された信号に応じた応答信号を送信する。携帯送信部５３はＵＨＦ帯の電波を用いて応答信号を送信する。なおＵＨＦ帯は信号を送信する電波帯域の一例であり、必ずしもこれに限定されない。
【００６３】
携帯受信部５４は受信信号強度検出部５５を介してＬＦ受信アンテナ５４ａに接続されており、車載機１からＬＦ帯の電波を用いて送信された各種信号を受信し、携帯制御部５１へ出力する。ＬＦ受信アンテナ５４ａは例えば３軸アンテナであり、車両Ｃに対する携帯機５の向き又は姿勢に拘わらず、一定の受信信号強度が得られる。
【００６４】
受信信号強度検出部５５は、ＬＦ受信アンテナ５４ａが受信した信号の受信信号強度、特に携帯機５の位置を検出するための検出用信号の受信信号強度を検出し、検出した受信信号強度を携帯制御部５１へ出力する回路である。受信信号強度は、車両Ｃに対する携帯機５の位置を検出する際に利用される。
【００６５】
図５は車載機１及び携帯機５の処理手順を示すフローチャートである。車載機１の制御部１１は、車両Ｃのイグニッションスイッチがオフ状態でドアが施錠された後の適宜のタイミングにて以下の処理を実行する。制御部１１は、内蔵のカウンタの値をＮ＝１にセットした後、Ｎ番目（Ｎ＝１〜４の整数）のＬＦ送信アンテナの組み合わせを選択し、車載送信部１４を制御することにより、選択したＬＦ送信アンテナの組み合わせからウェイクアップ信号を同時的に送信させる（ステップＳ１１）。制御部１１は、１番目のＬＦ送信アンテナの組み合わせを選択する場合、例えば、車両Ｃの走行方向における前後方向に隣り合う第１ＬＦ送信アンテナ１４ａ、１４ｂを選択する。ウェイクアップ信号は携帯機５を起動させるための信号であり、ウェイクアップ信号の送信は定期的に行われる。
【００６６】
携帯機５は、休止状態においても外部から送信される信号を監視しており、車載機１からウェイクアップ信号が送信されると、携帯受信部５４にてウェイクアップ信号を受信する（ステップＳ１２）。ウェイクアップ信号を受信した携帯機５の携帯制御部５１は、休止状態から起動状態へ移行し（ステップＳ１３）、自身の識別子を含む応答信号を携帯送信部５３にて車載機１へ送信する（ステップＳ１４）。
【００６７】
ステップＳ１１の処理によってウェイクアップ信号を送信した車載機１の制御部１１は、所定の待ち受け時間内に携帯機５から送信された応答信号を、車載受信部１３にて受信したか否かを判定する（ステップＳ１５）。応答信号を受信したと判断した場合（Ｓ１５：ＹＥＳ）、制御部１１は、応答信号が得られたＬＦ送信アンテナの組み合わせの情報を記憶部１２に記憶させる（ステップＳ１６）。応答信号を受信していないと判断した場合（Ｓ１５：ＮＯ）、制御部１１は、後述するステップＳ１７の処理を実行する。
【００６８】
応答信号が得られたＬＦ送信アンテナの組み合わせの情報を記憶部１２に記憶させた場合、又は、応答信号を受信しなかった場合、制御部１１は、ＬＦ送信アンテナの組み合わせが終了したか否かを判断する（ステップＳ１７）。ＬＦ送信アンテナの組み合わせに関して、前述した第１乃至第４の組み合わせが設定されている場合、制御部１１は、第１乃至第４の全ての組み合わせを用いてウェイクアップ信号を送信した否かを判断することにより、組み合わせが終了したか否かを判断する。
【００６９】
ＬＦ送信アンテナの組み合わせが終了していないと判断した場合（Ｓ１７：ＮＯ）、制御部１１は、カウンタの値Ｎを１だけ繰り上げ（ステップＳ１８）、処理をステップＳ１１へ戻す。
【００７０】
ＬＦ送信アンテナの組み合わせが終了したと判断した場合（Ｓ１７：ＹＥＳ）、制御部１１は、携帯機５を検出したか否かを判断する（ステップＳ１９）。ＬＦ送信アンテナの何れかの組み合を用いて送信したウェイクアップ信号に対し、携帯機５から送信された応答信号を受信した場合、制御部１１は、携帯機５を検出したと判断することができる。携帯機５を検出していない場合（Ｓ１９：ＮＯ）、カウンタの値Ｎを１にリセットした上で、処理をステップＳ１１へ戻す。
【００７１】
携帯機５を検出したと判断した場合（Ｓ１９：ＹＥＳ）、制御部１１は、ステップＳ１６で記憶させたＬＦ送信アンテナの組み合わせの情報に基づき、携帯機５の位置を特定する（ステップＳ２０）。例えば、第１及び第２ＬＦ送信アンテナ１４ａ、１４ｂから同時的に送信させたウェイクアップ信号に対してのみ、携帯機５からの応答信号を受信し、他の組み合わせから送信させたウェイクアップ信号に対しては応答信号が得られなかった場合、制御部１１は、第１及び第２ＬＦ送信アンテナ１４ａ、１４ｂを同時的に使用した場合の送信範囲内であって、他の組み合わせを用いた場合の送信範囲を含まない領域に携帯機５が存在すると判断することができる。また、第１及び第２ＬＦ送信アンテナ１４ａ、１４ｂから同時的に送信させたウェイクアップ信号と、第１及び第３ＬＦ送信アンテナ１４ａ、１４ｃから同時的に送信させたウェイクアップ信号と対し、応答信号を受信し、他の組み合わせから送信させたウェイクアップ信号に対しては応答信号が得られなかった場合、制御部１１は、第１及び第２ＬＦ送信アンテナ１４ａ、１４ｂを同時的に使用した場合の送信範囲と、第１及び第３ＬＦ送信アンテナ１４ａ、１４ｃを同時的に使用した場合の送信範囲とが重なる領域に携帯機５が存在すると判断することができる。
【００７２】
携帯機５の位置を特定した後、制御部１１は、車載送信部１４によって、車両Ｃの走行方向における前後左右に隣り合う２つの第１乃至第４ＬＦ送信アンテナ１４ａ、１４ｂ、１４ｃ、１４ｄからリクエスト信号を同時的に送信させる（ステップＳ２１）。このとき、ステップＳ２０で特定した携帯機５の位置を送信範囲に持つＬＦ送信アンテナの組み合わせを用いてリクエスト信号を同時的に送信させてもよい。リクエスト信号は、例えば乱数によって作成された認証用の第１チャレンジコード、受信した携帯機５の識別子等を含む。
【００７３】
ステップＳ１３で起動した携帯機５は、所定時間の間、起動状態で待機しており、車載機１から送信されるリクエスト信号を、携帯受信部５４にて受信する（ステップＳ２２）。なお、携帯制御部５１は、リクエスト信号に含まれる識別子が自身の識別子と一致しているか否かを判定することによって、自身へ送信されたリクエスト信号であるか否かを判断する。自身へ送信されたリクエスト信号を受信すること無く所定時間が経過した場合、携帯制御部５１は休止状態へ移行する。自身へ送信されたリクエスト信号を受信した携帯機５の携帯制御部５１は、受信した第１チャレンジコードに対して所定の論理演算を行うことにより、車載機１が携帯機５を認証するために必要な第２チャレンジコードを作成し、該第２チャレンジコードを含む応答信号を携帯送信部５３にて車載機１へ送信する（ステップＳ２３）。
【００７４】
ステップＳ２１においてリクエスト信号を送信した車載機１は、所定の待ち受け時間内に携帯機５から送信された応答信号を、車載受信部１３にて受信したか否かを判定する（ステップＳ２４）。応答信号を受信していないと判定した場合（Ｓ２４：ＮＯ）、制御部１１は、ＬＦ送信アンテナの組み合わせを変更し（ステップＳ２５）、処理をステップＳ２１へ戻す。
【００７５】
応答信号を受信したと判定した場合（Ｓ２４：ＹＥＳ）、応答信号に含まれる第２チャレンジコードに基づいて携帯機５の認証を行い、認証に成功したか否かを判定する（ステップＳ２６）。具体的には、制御部１１は、ステップＳ２１で送信した第１チャレンジコードに対して、携帯機５と同様のアルゴリズムの論理演算を行って得られたコードと、携帯機５から送信された第２チャレンジコードとが一致しているか否かによって、携帯機５の認証を行う。認証に失敗したと判定した場合（Ｓ２６：ＮＯ）、制御部１１は、本フローチャートによる処理を終了する。認証に成功したと判定した場合（Ｓ２６：ＹＥＳ）、制御部１１は、点灯制御信号を車外照明部６へ送信することによって、車外照明部６を点灯させ（ステップＳ２７）、処理を終える。
なお、車外照明部６は、一定時間が経過し、又は車両Ｃのドアが開くまで継続的に点灯する。車載機１は、車外照明部６の点灯処理を終えると、再び図５に示す処理を実行する。
【００７６】
ここまで本実施形態に係る信号送信方法をウェルカムライト機能に適用する例を説明したが、携帯機５の位置検出を行う通信処理にも適用することができる。位置検出処理において、携帯機５へウェイクアップ信号を送信し、携帯機５を起動させる処理は、ステップＳ１１〜ステップＳ１５と同様である。携帯機５を起動させた車載機１は、車両Ｃの走行方向における前後左右に隣り合う２つの第１乃至第４ＬＦ送信アンテナ１４ａ、１４ｂ、１４ｃ、１４ｄの組を順次選択し、選択された２つの第１乃至第４ＬＦ送信アンテナ１４ａ、１４ｂ、１４ｃ、１４ｄから同一の検出用信号を同時的に送信させる。車載機１は、使用する第１乃至第４ＬＦ送信アンテナ１４ａ、１４ｂ、１４ｃ、１４ｄの組み合わせを切り替え、同様にして検出用信号を送信させる。携帯機５は、各組の第１乃至第４ＬＦ送信アンテナ１４ａ、１４ｂ、１４ｃ、１４ｄから送信された検出用信号を受信し、受信した各検出用信号の受信信号強度を測定する。そして、携帯機５は、測定して得た受信信号強度を含む応答信号を車載機１へ送信する。車載機１は、携帯機５から送信された応答信号を受信し、応答信号に含まれる受信信号強度に基づいて、携帯機５の位置を検出する。携帯機５の位置を検出した車載機１は、携帯機５の位置に応じた所要の処理を実行する。
【００７７】
次に、本実施形態に係る車載機１による信号送信方法の作用を説明する。
図６は本実施形態に係る車載機１から送信される信号の送信範囲を説明する説明図、図７は比較例に係る車載機１から送信される信号の送信範囲を説明する説明図である。図６Ａは、本実施形態に係る第１ＬＦ送信アンテナ１４ａ及び第２ＬＦ送信アンテナ１４ｂから送信される信号の送信範囲７ａ、７ｂ、７ａｂを概念的に示している。図６Ｂは、本実施形態に係る第１ＬＦ送信アンテナ１４ａ及び第２ＬＦ送信アンテナ１４ｂから送信される信号のタイミングチャートである。横軸は時間であり、四角で囲まれた「信号」は、信号の送信タイミングを示している。
同様に、図７Ａは、従来の制御方式によって第１ＬＦ送信アンテナ１４ａ及び第２ＬＦ送信アンテナ１４ｂから送信される信号の送信範囲７ａ、７ｂを示している。図７Ｂは、従来の制御方式によって第１ＬＦ送信アンテナ１４ａ及び第２ＬＦ送信アンテナ１４ｂから送信される信号のタイミングチャートである。
【００７８】
図７Ａ及び図７Ｂに示すように、従来の制御方式によって単独の第１ＬＦ送信アンテナ１４ａから送信される信号の送信範囲７ａは、当該第１ＬＦ送信アンテナ１４ａを中心に平面視で楕円形状の所定範囲内にとどまる。同様に単独の第２ＬＦ送信アンテナ１４ｂから送信される信号の送信範囲７ｂは、当該第２ＬＦ送信アンテナ１４ｂを中心に平面視で楕円形状の所定範囲内にとどまる。従って、走行方向における車両Ｃの前後方向中央部における信号の強度は弱く、図７Ａに示すような位置にある携帯機５は、第１及び第２ＬＦ送信アンテナ１４ａ、１４ｂから送信される信号を受信することができない。
これに対して、図６Ａ及び図６Ｂに示すように、第１及び第２ＬＦ送信アンテナ１４ａ、１４ｂから同時的に送信される信号の送信範囲７ａｂは、単独の第１及び第２ＬＦ送信アンテナ１４ａ、１４ｂから送信される信号の送信範囲７ａ、７ｂに比べて拡大する。第１及び第２ＬＦ送信アンテナ１４ａ、１４ｂから送信される信号はＬＦ帯であるため、車両Ｃの周囲においては、当該信号の振幅は一様であり、第１及び第２ＬＦ送信アンテナ１４ａ、１４ｂからそれぞれ送信された信号は干渉によって打ち消されること無く重ね合わされ、振幅が増大する。
【００７９】
図８はＬＦ送信アンテナの組み合わせを切り替えた場合の送信範囲を説明する説明図である。本実施の形態では、前述した第１乃至第４の組み合わせを順に選択し、それぞれの組み合わせを構成する２つのＬＦ送信アンテナからウェイクアップ信号を同時的に送信させる。
【００８０】
第１及び第２ＬＦ送信アンテナ１４ａ、１４ｂの組み合わせが選択された場合、ウェイクアップ信号の送信範囲７ａｂは、車両Ｃの右側において前後方向に延びる領域となる。同様に、第３及び第４ＬＦ送信アンテナ１４ｃ、１４ｄの組み合わせが選択された場合、ウェイクアップ信号の送信範囲７ｃｄは、車両Ｃの左側において前後方向に延びる領域となる。また、第２及び第４ＬＦ送信アンテナ１４ｂ、１４ｄの組み合わせが選択された場合、ウェイクアップ信号の送信範囲７ｂｄは、車両Ｃの後側において左右方向に延びる領域となる。更に、第１及び第３ＬＦ送信アンテナ１４ａ、１４ｃの組み合わせが選択された場合、ウェイクアップ信号の送信範囲７ａｃは、車両Ｃの前側において左右方向に延びる領域となる。
【００８１】
図８に示すように、２つの送信範囲７ａｂ、７ａｃが重なる領域内に携帯機５が存在する場合、車載機１の制御部１１は、第１の組み合わせを構成する第１及び第２ＬＦ送信アンテナ１４ａ、１４ｂからウェイクアップ信号を同時的に送信した場合、第４の組み合わせを構成する第１及び第３ＬＦ送信アンテナ１４ａ、１４ｃからウェイクアップ信号を同時的に送信した場合の双方において、携帯機５からの応答信号を受信することになる。この場合、制御部１１は、２つの送信範囲７ａｂ、７ａｃが重なる領域内（すなわち、車両Ｃの右前方付近）に携帯機５が存在すると判定することができる。
【００８２】
一方、１つの送信範囲７ａｂ内に携帯機５が存在し、他の送信範囲７ｃｄ、７ａｃ、７ｂｄ内には携帯機５が存在しない場合、車載機１の制御部１１は、第１及び第２ＬＦ送信アンテナ１４ａ、１４ｂの組み合わせを選択してウェイクアップ信号を送信した場合にのみ、携帯機５からの応答信号を受信することになる。この場合、制御部１１は、送信範囲７ａｂが他の送信範囲７ｃｄ、７ａｃ、７ｂｄと重ならない領域（すなわち、車両Ｃの右側面付近）に携帯機５が存在すると判定することができる。
【００８３】
以上のように、車載機１の制御部１１は、携帯機５からの応答信号を受信した際に用いたＬＦ送信アンテナの組み合わせを特定することにより、携帯機５の位置を特定することができる。
【００８４】
このように構成された車載機１及び車両用通信システムによれば、車載機１の第１乃至第４ＬＦ送信アンテナ１４ａ、１４ｂ、１４ｃ、１４ｄから送信される信号の送信範囲を拡大することができる。特に、走行方向における車両Ｃの前後に離隔配置された第１及び第２ＬＦ送信アンテナ１４ａ、１４ｂから同一の信号を同時的に送信させることによって、車両Ｃの右側における信号の送信範囲を拡大することができる。同様に、走行方向における車両Ｃの前後左右における信号の送信範囲も拡大することができる。
【００８５】
また、本実施の形態に係る車載機１及び車両用通信システムによれば、同時的に送信させるＬＦ送信アンテナの組み合わせを順次変更する構成であり、携帯機５からの応答信号が得られたＬＦ送信アンテナの組み合わせを特定することにより、携帯機５の位置を特定することができる。
【００８６】
なお、本実施形態では、タイヤ空気圧監視システムを構成する第１乃至第４ＬＦ送信アンテナ１４ａ、１４ｂ、１４ｃ、１４ｄを用いてウェルカムライト機能を実現する構成を説明したが、言うまでもなくスマートエントリー（登録商標）、その他の任意にシステムを構成するＬＦ送信アンテナを用いてウェルカムライト機能を実現しても良い。
【００８７】
また、本実施の形態では、２つのＬＦ送信アンテナの組み合わせから同一信号を同時的に送信させる例を説明したが、言うまでもなく、３つ以上のＬＦ送信アンテナの組み合わせから同一信号を同時的に送信させるように構成しても良い。
【００８８】
更に、本実施の形態では、各タイヤ位置にそれぞれＬＦ送信アンテナを配置した構成としたが、ＬＦ送信アンテナの配置は各タイヤ位置に限定されるものではない。例えば、各タイヤ位置に加え、車両の後部にＬＦ送信アンテナが配置される構成であってもよく、また車両の右側面、左側面、後部の３箇所にのみＬＦ送信アンテナが配置される構成であってもよい。
【００８９】
更に、主にウェルカムライト機能を実現するシステムに本発明を適用する例を説明したが、本発明が適用される用途は特に限定されるものでは無い。ウォークアウェイクローズ機能、スマートエントリー（登録商標）機能、その他、携帯機５との通信が必要な任意のシステムに本発明を適用することができる。
【００９０】
更にまた、本実施形態では、車載機１がＬＦ帯の電波を用いて信号を送信させる例を説明したが、携帯機５との通信が必要な範囲において、２つのＬＦ送信アンテナから送信される信号が干渉して打ち消し合うことが無ければ信号の周波数は特に限定されるものでは無い。
【００９１】
（実施形態２）
実施形態２では、２つのＬＦ送信アンテナから同時的に送信させる信号の位相を逆相に制御する構成について説明する。
【００９２】
図９は実施形態２に係る車載送信部１４の構成例を説明するブロック図である。車載送信部１４は、第１乃至第４ＬＦ送信アンテナ１４ａ、１４ｂ、１４ｃ、１４ｄから送信するＬＦ帯の信号をそれぞれ生成する第１乃至第４送信部１４０ａ、１４０ｂ、１４０ｃ、１４０ｄを備える。なお、実施形態２において、第１乃至第４ＬＦ送信アンテナ１４ａ、１４ｂ、１４ｃ、１４ｄは、フェライトからなる棒状の磁性体コアと、磁性体コアに巻かれたコイルとを備え、磁性体コアに巻かれたコイルの巻線方向は互いに同一であるとする。
【００９３】
第１送信部１４０ａは、信号生成回路１４１ａ及び移相回路１４２ａを含む。信号生成回路１４１ａは、制御部１１から入力される信号（例えばウェイクアップ信号）の信号波を搬送波（キャリア）に重畳して、ＬＦ帯の信号に変調する。なお、搬送波は、図に示していないＲＣ発振回路、水晶発信回路等により生成される。移相回路１４２ａには、信号生成回路１４１ａにて変調された信号波（被変調波）が入力される。移相回路１４２ａは、入力された信号波（被変調波）の位相を、例えば制御部１１から入力される移相制御信号に基づいて制御する。第１送信部１４０ａは、移相回路１４２ａによって位相が制御された信号波を、第１ＬＦ送信アンテナ１４ａを通じて外部へ送信する。
【００９４】
第２乃至第４送信部１４０ｂ、１４０ｃ、１４０ｄの構成についても第１送信部１４０ａの構成と同様である。すなわち、第２送信部１４０ｂは信号生成回路１４１ｂ及び移相回路１４２ｂを備え、第３送信部１４０ｃは信号生成回路１４１ｃ及び移相回路１４２ｃを備え、第４送信部１４０ｄは信号生成回路１４１ｄ及び移相回路１４２ｄを備える。第２乃至第４送信部１４０ｂ、１４０ｃ、１４０ｄは、制御部１１から入力される信号（例えばウェイクアップ信号）の信号波を搬送波に重畳してＬＦ帯の信号に変調した後、制御部１１から入力される移相制御信号に基づいて位相を制御し、位相が制御された信号波を、第２乃至第４ＬＦ送信アンテナ１４ｂ、１４ｃ、１４ｄから外部へ送信する。
【００９５】
図１０は実施形態２に係る車載機１から送信される信号の送信範囲を示す概念図である。図１０Ａは、実施形態２に係る第１ＬＦ送信アンテナ１４ａ及び第２ＬＦ送信アンテナ１４ｂから送信される信号の送信範囲７ａ、７ｂ、７ａｂを概念的に示している。図１０Ｂは、実施形態２に係る第１ＬＦ送信アンテナ１４ａ及び第２ＬＦ送信アンテナ１４ｂから送信される信号のタイミングチャートである。横軸は時間であり、四角で囲まれた「信号」は、信号の送信タイミングを示している。
【００９６】
実施形態２では、第１ＬＦ送信アンテナ１４ａ及び第２ＬＦ送信アンテナ１４ｂから送信させる信号波の位相が逆相となるように、制御部１１は、各信号波の位相を制御する移相制御信号をそれぞれ移相回路１４２ａ、１４２ｂへ出力する。移相回路１４２ａ、１４２ｂは、制御部１１からの移相制御信号に基づいて、各信号波の位相を制御し、位相を制御した信号波を出力することにより、逆相の信号波を第１ＬＦ送信アンテナ１４ａ及び第２ＬＦ送信アンテナ１４ｂから同時的に送信させる。
【００９７】
実施形態１で説明したように、第１ＬＦ送信アンテナ１４ａを単独で用いた場合の信号の送信範囲７ａは、第１ＬＦ送信アンテナ１４ａを中心に平面視で楕円形状の範囲内にとどまる。同様に、第２ＬＦ送信アンテナ１４ｂを単独で用いた場合の送信範囲７ｂは、第２ＬＦ送信アンテナ１４ｂを中心に平面視で楕円形状の範囲内にとどまる。
これに対し、実施形態２では、逆相の信号波を第１ＬＦ送信アンテナ１４ａ及び第２ＬＦ送信アンテナ１４ｂから同時的に送信させるので、第１ＬＦ送信アンテナ１４ａと第２ＬＦ送信アンテナ１４ｂとの間の離隔方向における中心付近では、各信号波による磁界の向きが同一方向となる。この結果、第１及び第２ＬＦ送信アンテナ１４ａ、１４ｂからそれぞれ送信された信号は干渉によって打ち消されること無く重ね合わされ、合成磁界により定まる送信範囲７ａｂは車両Ｃの前後方向の中心付近にて左右方向に広がる。
【００９８】
図示しないが、同様にして、第３及び第４ＬＦ送信アンテナ１４ｃ、１４ｄから逆相の信号波を同時的に送信させることによって、車両Ｃの前後方向の中心付近にて信号波の送信範囲を左右方向に拡大することができる。
また、第１及び第３ＬＦ送信アンテナ１４ａ、１４ｃから逆相の信号波を同時的に送信させることによって、車両前部の左右方向の中心付近にて信号波の送信範囲を前後方向に拡大することができる。
更に、第２及び第４ＬＦ送信アンテナ１４ｂ、１４ｄから逆相の信号波を同時的に送信させることによって、車両後部の左右方向の中心付近にて信号波の送信範囲を前後方向に拡大することができる。
【００９９】
以上のように、実施形態２では、車両Ｃの前後方向又は左右方向の中心付近にて信号波の送信範囲を拡大することができる。当該構成を用いて、例えば携帯機５を起動させるためのウェイクアップ信号の送信範囲を拡大することにより、ウェルカムライトシステムにおいて、車両Ｃに近づく携帯機５をより早期に検出し、車外照明部６を点灯させることができる。また、携帯機５の位置を検出するための検出用信号の送信範囲も拡大することができ、車両Ｃからより遠方の携帯機５の位置を検出することができる。
【０１００】
なお、実施形態２では、第１乃至第４ＬＦ送信アンテナ１４ａ、１４ｂ、１４ｃ、１４ｄを構成するコイルの巻線方向を同一としたため、逆相の信号波を送信させることによって送信範囲を拡大する構成としたが、例えば、第１及び第２ＬＦ送信アンテナ１４ａ、１４ｂを構成するコイルの巻線方向が逆向きである場合には、これらの第１及び第２ＬＦ送信アンテナ１４ａ、１４ｂから同相の信号波を送信させることによって送信範囲を拡大する構成としてもよい。
【０１０１】
（実施形態３）
実施形態３では、２つのＬＦ送信アンテナから同時的に送信させる信号の位相を同相に制御する構成について説明する。
【０１０２】
図１１は実施形態３に係る車載機１から送信される信号の送信範囲を示す概念図である。実施形態３に係る車載機１の内部構成は実施形態２と同様である。すなわち、車載機１の車載送信部１４は、第１乃至第４送信部１４０ａ、１４０ｂ、１４０ｃ、１４０ｄを備え、第１乃至第４送信部１４０ａ、１４０ｂ、１４０ｃ、１４０ｄにおいて位相を制御したＬＦ帯の信号を生成し、生成したＬＦ帯の信号を信号波として第１乃至第４ＬＦ送信アンテナ１４ａ、１４ｂ、１４ｃ、１４ｄから外部へ送信する。なお、第１乃至第４ＬＦ送信アンテナ１４ａ、１４ｂ、１４ｃ、１４ｄは、フェライトからなる棒状の磁性体コアと、磁性体コアに巻かれたコイルとを備え、磁性体コアに巻かれたコイルの巻線方向は互いに同一であるとする。
【０１０３】
実施形態３では、例えば第１ＬＦ送信アンテナ１４ａ及び第２ＬＦ送信アンテナ１４ｂから送信させる信号波の位相が同相となるように、制御部１１は、各信号波の位相を制御する移相制御信号をそれぞれ移相回路１４２ａ、１４２ｂへ出力する。移相回路１４２ａ、１４２ｂは、制御部１１からの移相制御信号に基づいて、各信号波の位相を制御し、位相を制御した信号波を出力することにより、同相の信号波を第１ＬＦ送信アンテナ１４ａ及び第２ＬＦ送信アンテナ１４ｂから同時的に送信させる。
【０１０４】
図１１Ａは、実施形態３に係る第１ＬＦ送信アンテナ１４ａ及び第２ＬＦ送信アンテナ１４ｂから送信される信号の送信範囲７ａ、７ｂ、７ａｂを概念的に示している。図１１Ｂは、実施形態３に係る第１ＬＦ送信アンテナ１４ａ及び第２ＬＦ送信アンテナ１４ｂから送信される信号のタイミングチャートである。横軸は時間であり、四角で囲まれた「信号」は、信号の送信タイミングを示している。
【０１０５】
実施形態１で説明したように、第１ＬＦ送信アンテナ１４ａを単独で用いた場合の信号の送信範囲７ａは、第１ＬＦ送信アンテナ１４ａを中心に平面視で楕円形状の範囲内にとどまる。同様に、第２ＬＦ送信アンテナ１４ｂを単独で用いた場合の送信範囲７ｂは、第２ＬＦ送信アンテナ１４ｂを中心に平面視で楕円形状の範囲内にとどまる。
これに対し、実施形態３では、同相の信号波を第１ＬＦ送信アンテナ１４ａ及び第２ＬＦ送信アンテナ１４ｂから同時的に送信させるので、第１ＬＦ送信アンテナ１４ａと第２ＬＦ送信アンテナ１４ｂとの間の離隔方向における中心付近では、各信号波による磁界の向きが逆方向となり、車両Ｃの前部及び後部付近では、各信号波による磁界の向きが同一となる。この結果、第１及び第２ＬＦ送信アンテナ１４ａ、１４ｂからそれぞれ送信された信号は、車両Ｃの前後方向の中心付近では弱まるものの、車両Ｃの前部及び後部付近では干渉によって打ち消されること無く重ね合わされ、合成磁界により定まる送信範囲７ａｂは車両Ｃの前部及び後部付近にて前後方向に広がる。
【０１０６】
図示しないが、同様にして、第３及び第４ＬＦ送信アンテナ１４ｃ、１４ｄから同相の信号波を同時的に送信させることによって、車両Ｃの前部及び後部付近にて信号波の送信範囲を前後方向に拡大することができる。
また、第１及び第３ＬＦ送信アンテナ１４ａ、１４ｃから同相の信号波を同時的に送信させることによって、車両Ｃの前部付近にて信号波の送信範囲を左右方向に拡大することができる。
更に、第２及び第４ＬＦ送信アンテナ１４ｂ、１４ｄから同相の信号波を同時的に送信させることによって、車両Ｃの後部付近にて信号波の送信範囲を左右方向に拡大することができる。
【０１０７】
以上のように、実施形態３では、車両Ｃの前部及び後部付近にて信号波の送信範囲を拡大することができる。当該構成を用いて、例えば携帯機５を起動させるためのウェイクアップ信号の送信範囲を拡大することにより、ウェルカムライトシステムにおいて、車両Ｃに近づく携帯機５をより早期に検出し、車外照明部６を点灯させることができる。また、携帯機５の位置を検出するための検出用信号の送信範囲も拡大することができ、車両Ｃからより遠方の携帯機５の位置を検出することができる。
【０１０８】
なお、実施形態３では、第１乃至第４ＬＦ送信アンテナ１４ａ、１４ｂ、１４ｃ、１４ｄを構成するコイルの巻線方向を同一としたため、同相の信号波を送信させることによって送信範囲を拡大する構成としたが、例えば、第１及び第２ＬＦ送信アンテナ１４ａ、１４ｂを構成するコイルの巻線方向が逆向きである場合には、これらの第１及び第２ＬＦ送信アンテナ１４ａ、１４ｂから逆相の信号波を送信させることによって送信範囲を拡大する構成としてもよい。
【０１０９】
（実施形態４）
実施形態４では、２つのＬＦ送信アンテナから同時的に送信させる信号の位相を同相又は逆相に交互に切り替える構成について説明する。
【０１１０】
実施形態４に係る車載機１の内部構成は実施形態２と同様である。すなわち、車載機１の車載送信部１４は、第１乃至第４送信部１４０ａ、１４０ｂ、１４０ｃ、１４０ｄを備え、第１乃至第４送信部１４０ａ、１４０ｂ、１４０ｃ、１４０ｄにおいて位相を制御したＬＦ帯の信号を生成し、生成したＬＦ帯の信号を信号波として第１乃至第４ＬＦ送信アンテナ１４ａ、１４ｂ、１４ｃ、１４ｄから外部へ送信する。
【０１１１】
実施形態４では、例えば第１の組み合わせを構成する第１ＬＦ送信アンテナ１４ａ及び第２ＬＦ送信アンテナ１４ｂから信号を同時的に送信する場合、信号波の位相が同相となる信号波、信号の位相が逆相となる信号波を順に送信する。このとき、制御部１１は、各信号波の位相を制御する移相制御信号をそれぞれ移相回路１４２ａ、１４２ｂへ出力する。移相回路１４２ａ、１４２ｂは、制御部１１からの移相制御信号に基づいて、各信号波の位相を制御し、位相を制御した信号波を出力することにより、同相の信号波と逆相の信号波とを第１ＬＦ送信アンテナ１４ａ及び第２ＬＦ送信アンテナ１４ｂから順に送信させる。同相の信号波と逆相の信号波とを切り替える周期（時間間隔）は例えば６００ｍｓｅｃであるが、６００ｍｓｅｃに限定されるものではなく、車載機１の消費電力、携帯機５を検出すべきタイミング等を考慮して適宜設定され得る。第２乃至第４の組み合わせを構成する２つのＬＦ送信アンテナから同時的に信号を送信する場合についても同様である。
【０１１２】
図１２は実施形態４に係る車載機１が送信する信号の送信タイミングを説明するタイミングチャートである。横軸は時刻であり、四角で囲まれた「信号」は、信号の送信タイミングを示している。図１２の例では、車載機１は、時刻Ｔ１において、第１及び第２ＬＦ送信アンテナ１４ａ、１４ｂを用いて同相の信号を同時的に送信し、続く時刻Ｔ２において、逆相の信号を同時的に送信することを示している。また、車載機１は、時刻Ｔ３において、第３及び第４ＬＦ送信アンテナ１４ｃ、１４ｄを用いて同相の信号を同時的に送信し、続く時刻Ｔ４において、逆相の信号を同時的に送信することを示している。更に、時刻Ｔ５において、第１及び第４ＬＦ送信アンテナ１４ａ、１４ｄを用いて同相の信号を同時的に送信し、続く時刻Ｔ６において、逆相の信号を同時的に送信することを示している。更に、時刻Ｔ７において、第１及び第３ＬＦ送信アンテナ１４ａ、１４ｃを用いて同相の信号を同時的に送信し、続く時刻Ｔ８において、逆相の信号を同時的に送信することを示している。
【０１１３】
実施形態４では、同相の信号波と逆相の信号波とを各ＬＦ送信アンテナの組み合わせから順に送信する構成としている。第１の組み合わせを用いた場合、同相の信号波による送信範囲７ａｂは、車両Ｃの右側にて前後方向に広がり、逆相の信号波による送信範囲７ａｂは、車両Ｃの前後方向の中心付近にて左右方向に広がる。同様に、第２の組み合わせを用いた場合、同相の信号波による送信範囲７ｃｄは、車両Ｃの左側にて前後方向に広がり、逆相の信号波による送信範囲７ｃｄは、車両Ｃの前後方向の中心付近にて左右方向に広がる。
また、第３の組み合わせを用いた場合、同相の信号波による送信範囲７ｂｄは、車両Ｃの後部付近にて左右方向に広がり、逆相の信号波による送信範囲７ｂｄは、車両Ｃの後部付近にて前後方向に広がる。更に、第４の組み合わせを用いた場合、同相の信号波による送信範囲７ａｃは、車両Ｃの前部付近にて左右方向に広がり、逆相の信号波による送信範囲７ａｃは、車両Ｃの前部付近にて前後方向に広がる。
【０１１４】
よって、実施形態４では、同相の信号波又は逆相の信号波を単独で用いる場合と比較して、信号波の送信範囲を拡大することができる。当該構成を用いて、例えば携帯機５を起動させるためのウェイクアップ信号の送信範囲を拡大することにより、ウェルカムライトシステムにおいて、車両Ｃに近づく携帯機５をより早期に検出し、車外照明部６を点灯させることができる。また、携帯機５の位置を検出するための検出用信号の送信範囲も拡大することができ、車両Ｃからより遠方の携帯機５の位置を検出することができる。
【０１１５】
なお、本実施の形態では、各組み合わせにおいて同相及び逆相の信号を連続的に送信する構成としたが、各組み合わせにおいて同相（又は逆相）の信号のみを送信し、その次に各組み合わせにおいて逆相（又は同相）の信号のみを送信する構成としてもよい。
【０１１６】
今回開示された実施形態はすべての点で例示であって、制限的なものではないと考えられるべきである。本発明の範囲は、上記した意味では無く、特許請求の範囲によって示され、特許請求の範囲と均等の意味及び範囲内でのすべての変更が含まれることが意図される。
【符号の説明】
【０１１７】
１  車載機
２  検出装置
３  タイヤ
４  報知装置
５  携帯機
６  車外照明部
７ａ，７ｂ，７ａｂ  送信範囲
１１  制御部（送信制御部、変更部）
１２  記憶部
１３  車載受信部（受信部）
１３ａ  ＲＦ受信アンテナ
１４  車載送信部（送信部）
１４ａ  第１ＬＦ送信アンテナ（送信アンテナ）
１４ｂ  第２ＬＦ送信アンテナ（送信アンテナ）
１４ｃ  第３ＬＦ送信アンテナ（送信アンテナ）
１４ｄ  第４ＬＦ送信アンテナ（送信アンテナ）
１５  車内通信部
２１  センサ制御部
２２  センサ用記憶部
２３  センサ送信部
２３ａ  ＲＦ送信アンテナ
２４  センサ受信部
２４ａ  ＬＦ受信アンテナ
２５  空気圧検出部
５１  携帯制御部
５２  携帯機用記憶部
５３  携帯送信部
５３ａ  ＲＦ送信アンテナ
５４  携帯受信部
５４ａ  ＬＦ受信アンテナ
５５  受信信号強度検出部
１４０ａ  第１送信部
１４０ｂ  第２送信部
１４０ｃ  第３送信部
１４０ｄ  第４送信部
１４１ａ，１４１ｂ，１４１ｃ，１４１ｄ  信号生成回路
１４２ａ，１４２ｂ，１４２ｃ，１４２ｄ  移相回路（位相制御部）
Ｃ  車両
【図１】
2018196009.tif 000003
【図２】
2018196009.tif 000004
【図３】
2018196009.tif 000005
【図４】
2018196009.tif 000006
【図５】
2018196009.tif 000007
【図６】
2018196009.tif 000008
【図７】
2018196009.tif 000009
【図８】
2018196009.tif 000010
【図９】
2018196009.tif 000011
【図１０】
2018196009.tif 000012
【図１１】
2018196009.tif 000013
【図１２】
2018196009.tif 000014